(57)【要約】【課題】携帯用端末機に着脱可能に構成してモバイル金融取引サービス、端末機充電、及びＦＭ送信器のうち少なくとも一つの機能を選択的に使用可能にし、端末機のスリム化に寄与すると同時に端末機を用いる付加機能の使用便宜性を提供するように構成される携帯用端末機のための多機能ドングルを提供する。【解決手段】本発明は、携帯用端末機に接続して金融機器とのモバイル金融取引サービスを提供するためのドングル装置であって、携帯用端末機適所に電気的に接続される接続手段と、ドングル装置の内部適所に設置されて前記金融機器と通信するための無線通信手段と、ドングル装置の内部に設けられて金融チップを選択的に装着するためのスロット端子とを含むことを特徴とする。【選択図】図２
2007282241.tif 000002
【特許請求の範囲】
【請求項１】
携帯用端末機に接続して金融機器とのモバイル金融取引サービスを提供するためのドングル装置であって、
前記携帯用端末機適所に電気的に接続される接続手段と、
前記ドングル装置の内部適所に設置されて前記金融機器と通信するための無線通信手段と、
前記ドングル装置の内部に設けられて金融チップを選択的に装着するためのスロット端子と、
を含むことを特徴とする携帯用端末機のための多機能ドングル。
【請求項２】
前記無線通信手段は、
閉ループアンテナ放射体又はブルートゥースアンテナ放射体又は赤外線送受信部のうちの少なくとも一つ以上が備えられることを特徴とする請求項１記載の携帯用端末機のための多機能ドングル。
【請求項３】
前記接続手段は、
前記端末機のインターフェースコネクタポート(IF  connector  port)に接続するためのインターフェースコネクタ又は前記端末機の耳マイクロホンコネクタポート(ear-microphone  connector  port)に接続するための耳マイクロホンコネクタ又は端末機に設けられる付加機能のための別途のポートに接続されるコネクタのうちいずれか一つであることを特徴とする請求項１記載の携帯用端末機のための多機能ドングル。
【請求項４】
前記ドングルは、
コネクタを保護するための別途のカバーをさらに備えることを特徴とする請求項１記載の携帯用端末機のための多機能ドングル。
【請求項５】
携帯用端末機と接続して金融機器とのモバイル金融取引サービスを提供するためのドングル装置であって、
ユーザーの要求による前記金融機器とのモバイル金融取引を制御する制御部と、
前記制御部によって遂行されるモバイル金融取引に関する情報及び該当応用プログラムを格納するメモリ部と、
前記金融機器との金融取引のための無線通信を遂行する所定の通信手段を含む通信モジュールと、
前記制御部の要求により、個人認証及び最近金融取引内訳を前記制御部に提供するために選択的に設けられる金融チップとのインターフェースのための金融チップドライバと、
前記携帯用端末機と該当金融取引を遂行するために電気的に接続されるように設けられる接続手段と、
を含むことを特徴とする携帯用端末機のための多機能ドングル。
【請求項６】
前記通信手段は、
閉ループアンテナ放射体又はブルートゥースアンテナ放射体又は赤外線送受信部のうちの少なくとも一つ以上が備えられることを特徴とする請求項５記載の携帯用端末機のための多機能ドングル。
【請求項７】
前記接続手段は、
前記端末機のインターフェースコネクタポートに接続するためのインターフェースコネクタ又は前記端末機の耳マイクロホンコネクタポートに接続するための耳マイクロホンコネクタ又は端末機に設けられる付加機能のための別途のポートに接続されるコネクタのうちいずれか一つであることを特徴とする請求項５記載の携帯用端末機のための多機能ドングル。
【請求項８】
前記ドングルは、
コネクタを保護するための別途のカバーをさらに備えることを特徴とする請求項５記載の携帯用端末機のための多機能ドングル。
【請求項９】
前記制御部は、
前記携帯用端末機と前記ドングルが接続した場合に、前記携帯用端末機でディスプレーするための金融取引内訳を前記携帯用端末機に伝送し、前記携帯用端末機から前記携帯用端末機のユーザーキー入力による要求を受信し、前記通信手段を通じて前記金融機器に伝送することを特徴とする請求項５乃至８のいずれか１項に記載の携帯用端末機のための多機能ドングル。
【請求項１０】
携帯用端末機に接続して外部機器との付加機能を遂行するための多機能ドングルであって、
金融機器とのモバイル金融取引サービスを提供するための金融取引部と、
携帯用端末機で再生される音声信号を外部のＦＭ受信装置のスピーカーを通じて出力するためのＦＭ送信部と、
外部電源の印加を受けて前記携帯用端末機を充電させるための充電部と、
前記金融取引部、ＦＭ送信部、及び充電部の該当機能を遂行するために同時に又は個別的に前記携帯用端末機に接続される接続手段と、
を含むことを特徴とする携帯用端末機のための多機能ドングル。
【請求項１１】
前記接続手段は、
前記端末機のインターフェースコネクタポートに接続するためのインターフェースコネクタ又は前記端末機の耳マイクロホンコネクタポートに接続するための耳マイクロホンコネクタ又は端末機に設けられる付加機能のための別途のポートに接続されるコネクタのうちいずれか一つであることを特徴とする請求項１０記載の携帯用端末機のための多機能ドングル。
【請求項１２】
前記ドングルは、
前記充電部に外部電源の供給を受けるための外部電源入力用電源端子をさらに備えることを特徴とする請求項１１記載の携帯用端末機のための多機能ドングル。
【請求項１３】
前記金融取引部は、
ユーザーの要求による前記金融機器とのモバイル金融取引を制御する制御部と、
前記制御部によって遂行されるモバイル金融取引に関する情報及び該当応用プログラムを格納するメモリ部と、
前記金融機器と金融取引のための無線通信を遂行する所定の通信手段を含む通信モジュールと、
前記制御部の要求により個人認証及び最近金融取引内訳を前記制御部に提供するために選択的に設けられる金融チップとのインターフェースのための金融チップドライバと、
を含むことを特徴とする請求項１０記載の携帯用端末機のための多機能ドングル。
【請求項１４】
前記通信手段は、
閉ループアンテナ放射体又はブルートゥースアンテナ放射体又は赤外線送受信部のうち少なくとも一つ以上が備えられることを特徴とする請求項１３記載の携帯用端末機のための多機能ドングル。
【請求項１５】
前記制御部は、
前記携帯用端末機と前記ドングルが接続した場合に、前記携帯用端末機でディスプレーするための金融取引内訳を前記携帯用端末機に伝達し、前記携帯用端末機から前記携帯用端末機のユーザーキー入力による要求を受信し、前記通信手段を通じて前記金融機器に伝送することを特徴とする請求項１３又は請求項１４記載の携帯用端末機のための多機能ドングル。
【請求項１６】
前記ＦＭ送信部は、
携帯用端末機と接続して端末機から音声信号を受信する信号検出器と、
前記信号検出器から入力された音声信号をＲＦ変調するステレオ変調器と、
前記ステレオ変調器から入力されたＦＭ変調された音源信号を受信して周波数制御信号により該当ＦＭラジオ信号に変換する信号発振器と、
前記信号発振器に該当周波数制御信号を前記信号発振器に提供する周波数調節器と、
前記信号発振器から提供されたＦＭラジオ信号に変換された音声信号を増幅する高周波増幅器と、
前記高周波増幅器から増幅された音声信号を無線で外部のＦＭ受信装置に伝送するアンテナモジュールと、
を含むことを特徴とする請求項１０記載の携帯用端末機のための多機能ドングル。
【請求項１７】
前記アンテナモジュールは、前記金融取引部の通信手段で使用されることを特徴とする請求項１３又は請求項１６記載の携帯用端末機のための多機能ドングル。
【請求項１８】
前記ＦＭ送信部は、端末機の電源又は外部電源のうちいずれか一つの印加を受けて動作することを特徴とする請求項１２記載の携帯用端末機のための多機能ドングル。
【請求項１９】
前記充電部は、
前記外部電源を通じて印加された電源の状態を確認して携帯用端末機に供給される程度に安定化させる充電制御部と、
所定のスイッチング手段を備え、前記充電制御部の制御によって外部電源から印加された電源を安定化させて前記スイッチのスイッチング動作によって前記端末機に電源を供給する電圧変換部と、  
を含むことを特徴とする請求項１２記載の携帯用端末機のための多機能ドングル。
【請求項２０】
金融機器とのモバイル金融取引サービスを提供するための多機能ドングルを有する携帯用端末機であって、前記多機能ドングルが、
前記携帯用端末機適所に電気的に接続される接続手段と、
前記ドングル装置の内部適所に設置されて前記金融機器と通信するための無線通信手段と、
前記ドングル装置の内部に設けられて金融チップを選択的に装着するためのスロット端子と、
から構成されることを特徴とする携帯用端末機。
【発明の詳細な説明】
【技術分野】
【０００１】
本発明は携帯用端末機と外部装置を効率的に接続させるための接続装置に関するもので、特に携帯用端末機に着脱可能に構成してモバイル金融取引サービス、端末機充電、及びＦＭ送信器(FM transmitter)のうち少なくとも一つの機能を選択的に使用可能にし、端末機のスリム化に寄与すると同時に端末機を用いる付加機能の使用便宜性を提供するように構成される携帯用端末機のための多機能ドングルに関するものである。
【背景技術】
【０００２】
最近、電子通信産業の発達で携帯用端末機はますます軽薄小型化されつつ、その機能は多様化している傾向にある。例えば、多様な和音のメロディを実現できるスピーカー装置が設置されており、数百万画素帯のカラーディスプレー装置が実現されている。また、基本的な通話機能以外のＭＰ３プレーヤーを通じる音楽聴取機能が端末機に具現され、ディスプレー装置を用いる多様なゲームコンテンツなどが提供されている傾向で、携帯用端末機は、このような機能をさらに開発するための努力が続けられている。
【０００３】
上述した機能以外に、上記端末機に別途の構成要素を備えて金融取引を便利に利用できるモバイル金融取引サービスが実現されている。モバイル金融取引サービスは、端末機の通信モジュールを使用して基地局を通した金融サーバとの無線通信による金融取引方式と、金融サーバと有線又は無線で接続された金融機器と端末機との間の近距離通信を遂行して金融取引をする方式に分けられる。両者は、共にユーザー認証及び金融取引内訳を含む金融チップ(banking  chip）を搭載すべきであり、ループアンテナのような比較的体積が大きい近距離通信用アンテナ放射体を端末機に別途に備えなければならない。
【０００４】
すなわち、金融取引を遂行する端末機は別途の金融チップを装着するためのスロット(slot）を端末機適所に装着すべく、相対的に体積が大きいアンテナ放射体を端末機全体又はバッテリーパックの裏面などに実装すべき不便さが発生し、加えて、最近の趨勢である端末機のスリム化に逆行する問題点も引き起こすという問題点があった。
【０００５】
さらに、端末機のスリム化によって、端末機内部に提供すると、便利なＦＭ送信器や充電部(装置)が提供されないことによって、このような機能を使用しようとするユーザーは、端末機とは別途に上述した機能を有する装置を個別的に携帯しなければならないという問題点もあった。
【発明の開示】
【発明が解決しようとする課題】
【０００６】
したがって、上述したような従来の問題点を解決するために案出された本発明の目的は、端末機のスリム化に寄与しつつ、円滑な金融取引サービスを利用できるように構成される携帯用端末機のための多機能ドングルを提供することにある。
【０００７】
本発明の他の目的は、端末機のスリム化に寄与しつつ、モバイル金融取引サービスとＦＭ送信器を選択的に利用できるように構成される携帯用端末機のための多機能ドングルを提供することにある。
【０００８】
本発明のまた他の目的は、端末機のスリム化に寄与しつつ、モバイル金融取引サービス、ＦＭ送信器、及び端末機充電装置を選択的に利用可能に構成される携帯用端末機のための多機能ドングルを提供することにある。
【０００９】
さらに、本発明の目的は、金融チップ装着用スロットを含まない他の端末機でも金融取引が利用可能に構成される携帯用端末機のための多機能ドングルを提供することにある。
【００１０】
また、本発明の目的は、端末機とは別途の接続装置に近距離通信用アンテナ放射体を備えるため、端末機のアンテナモジュールとの干渉による放射特性の低下を未然に防止し、それによる放射体の体積縮小を実現するように構成される携帯用端末機のための多機能ドングルを提供することにある。
【課題を解決するための手段】
【００１１】
上記のような目的を達成するために、本発明は、携帯用端末機と金融機器とのモバイル金融取引サービスのための装置であって、携帯用端末機適所に選択的に電気的接続のための着脱が可能なように構成し、端末機に装着する場合に、前記金融機器と近距離無線通信を遂行して該当金融取引を遂行することを特徴とする。
【００１２】
望ましくは、本発明では端末機に着脱が可能なドングル概念の別途の金融取引装置(以下、“ドングル(dongle)”とする)が提供される。したがって、使用者は、該当ソフトウェアグループが提供される一般端末機に接続させて該当金融取引を円滑に遂行することができる。
【００１３】
より好ましくは、本発明によれば、該当ドングルに金融チップ(banking  chip）が内蔵されない。ユーザー個人認証情報と最近該当金融取引内訳が保存されている前記金融チップは、別途のスロットを使用して着脱可能に実現されることによって、携帯性及び保安性を強化した。しかしながら、これに限定されず、使用の便宜上、この金融チップはドングル内部に固定式で実装されることもできる。
【００１４】
より一層望ましく、本発明によれば、該当ドングルと金融機器が近距離無線通信を遂行するための近距離通信(Near  Field  Communication：ＮＦＣ)手段を提供する。この通信手段では、公知のループアンテナ放射体、ブルートゥースアンテナ放射体、赤外線ポートのような多様な方式で適用が可能である。
【００１５】
また、本発明は、金融取引に対する端末機の負荷を最小限に減少させるための多様な金融取引に対する応用プログラム(アプリケーション)及び別途のメモリ部を含むことができる。
【００１６】
したがって、本発明は、該当金融機器と無線通信を遂行するもので、携帯用端末機と接続して金融機器とのモバイル金融取引サービスを提供するためのドングル装置であって、ユーザーの要求による前記金融機器とのモバイル金融取引を制御する制御部と、前記制御部によって遂行されるモバイル金融取引に関する情報及び該当応用プログラムを格納するメモリ部と、前記金融機器との金融取引のための無線通信を遂行する所定の通信手段を含む通信モジュールと、前記制御部の要求により、個人認証及び最近金融取引内訳を前記制御部に提供するために選択的に設けられる金融チップとのインターフェースのための金融チップドライバと、前記携帯用端末機と該当金融取引を遂行するために電気的に接続されるように設けられる接続手段とを含むことを特徴とする。
【００１７】
したがって、ドングルと電気的に接続される端末機は、汎用金融取引アプリケーションだけをソフトウェアグループとして含んでいると、ドングルによって該当金融機器との希望する金融取引を円滑に遂行することができる。
【００１８】
一方、本発明の他の実施形態において、本発明によるドングルは、金融取引サービス以外にＦＭ送信器(FM  Transmitter)及び端末機充電用充電装置として使用可能に構成することができる。
【００１９】
したがって、本発明は、携帯用端末機に接続して外部機器との付加機能を遂行するための多機能ドングルであって、金融機器とのモバイル金融取引サービスを提供するための金融取引部と、携帯用端末機で再生される音声信号を外部のＦＭ受信装置のスピーカーを通じて出力するためのＦＭ送信部と、外部電源の印加を受けて前記携帯用端末機を充電させるための充電部と、前記金融取引部、ＦＭ送信部、及び充電部の該当機能を遂行するために同時に又は個別的に前記携帯用端末機に接続される接続手段とを含むことを特徴とする。
【００２０】
望ましくは、本発明は、ドングル内部に電源部と電源制御部を備えることによって、ＦＭ送信器として使用されるときに、外部から電源の供給を受けるだけでなく、このような状況が良くない場合に端末機の駆動電源を使用して動作が可能になる。
【００２１】
より望ましくは、本発明は、外部電源と端末機との間に本発明によるドングルを介在させると、充電装置として活用が可能である。したがって、本発明は、一つの携帯用ドングルで多様な付加機能を遂行することができる。
【発明の効果】
【００２２】
本発明は、一つのドングルで端末機を用いる多様な付加機能が遂行できるため、各機能に対する別途の付加装置を携帯する必要がなくて携帯性に優れた効果を有する。特に、本発明は、金融取引にかかる構成要素を一つの分離された装置(ドングル）で構成して端末機に必要な場合のみに装着可能にしたため、別途の金融関連モジュール(ソフトウェア及び/又はハードウェアなど）が端末機に必要でなくて端末機のスリム化を実現することができる。また、本発明は、最小限のソフトウェア仕様を有する一般端末機に適用でき、それによって金融取引の便宜性が増大する効果を有する。
【発明を実施するための最良の形態】
【００２３】
以下、本発明の望ましい実施形態を添付の図面を参照して詳細に説明する。
下記において、本発明に関連した公知の機能或いは構成に関する具体的な説明が本発明の要旨を不明にすると判断された場合に、その詳細な説明を省略する。
【００２４】
本発明では、スライドタイプの端末機を示し、これに接続される長方形ドングルを示して説明する。しかしながら、本発明は、多様な端末機、例えば、携帯用ノートブックＰＣ、ＰＤＡ、ＤＭＢ専用の端末機のような多様な携帯用マルチメディア端末機に適用可能であり、ドングルの形状も多様に形成されることができる。例えば、アクセサリー概念で端末機に所定の飾り紐を使用して携帯時にスタイリッシュな外観になるように形成することも可能である。
【００２５】
図１は、本発明の一実施形態によるドングル(dongle)１０が付着された携帯用端末機１００を用いる金融取引サービスを概略的に示す状態図である。図１を参照すれば、携帯用端末機１００は、選択的に脱着が可能な脱着式ドングル１０が装着された状態で該当金融機関の金融サーバ３００と無線又は有線で通信を遂行している金融機器２００と近距離無線通信をして金融取引を遂行することが可能である。金融取引が終了した場合に、このドングル１０は、携帯用端末機１００から分離して別途に携帯又は保管することができる。
【００２６】
図２は、本発明の一実施形態によるドングル１０が携帯用端末機１００に付着される状態を示す斜視図で、携帯用端末機としてスライドタイプの端末機を示す。ここで、端末機１００の基本的な構成は省略する。携帯用端末機１００は、メインボディー１１０と、メインボディー１１０の方から端末機１００の長さ方向に一定の長さだけスライディング(sliding)するスライドボディー１２０とを含む。携帯用端末機１００は、金融機器との金融取引のための携帯用ドングル１０が付着可能になる。
【００２７】
図２において、携帯用端末機１００の耳マイクロホンコネクタポート(ear-microphone  connector  port)１１１に所定のコネクタ１２が電気的に接続する。この場合に、１０ピンコネクタが使用可能である。しかしながら、これに限られず、端末機１００に備えられるインターフェースコネクタポート(IF  connector  port)１１２に接続することも可能である。このような場合は、２０ピン又は２４ピンコネクタが適当である。さらに、端末機に付加機能のために設けられる別途のポートに接続されることもできる。
【００２８】
ドングル１０は、長方形の形状で示しているが、多様な形状、すなわち外観をスタイリッシュに形成してユーザーの使用便宜性及び購買欲求を充足させることができる。ドングル１０には、脱着式金融チップ２０が設置される。後述するが、金融チップ２０は、ユーザーの個人認証情報、最近金融取引内訳など多様な情報を含んでいるため、ドングル１０に脱着式で構成される。
【００２９】
図３は、本発明の一実施形態によるドングル１０の斜視図である。図３を参照すると、ドングル１０は、ボディー１１と、ボディー１１で一定のサイズで突出される接続コネクタ１２を含む。ボディー１１の側面に金融チップを装着するための一定長さの長孔が形成されることによって、ドングル１０は、後述するスロット端子１３に金融チップ２０を装着して金融取引を図ることができる。さらに、本発明では、ドングル１０が端末機１００と接続されず、ユーザーが携帯したり端末機のアクセサリー概念で携帯する場合に、ボディー１１から突出されたコネクタ１２の保護のために所定のカバー３０がボディー１１に装着される。
【００３０】
図４は、本発明の一実施形態によるドングルの内部構成を示し、ボディー内部の構成を示す。
図４に示すように、ドングル１０は、メインボード１５と、メインボード１５に設けられる金融チップの装着のためのスロット端子１３を含む。スロット端子１３は、メインボード１５にＳＭＤ(Surface  Mounted  Device)タイプで実装可能である。端末機１００と接続される接続手段であるコネクタ１２も、メインボード１５にＳＭＤタイプで実装可能である。図示していないが、メインボード１５には各種電子部品(electronic  function  group）が実装されることができる。すなわち、後述する制御部、メモリ部、通信モジュールなどの機能をする構成要素がチップセット形態でメインボード１５に実装される。
【００３１】
一方、本発明により、ドングル１０と金融機器(図１の参照番号２００)との近距離通信(Near  Field  Communication：ＮＦＣ)のための通信手段がボディー１１の内部に設置される。通信手段としては、一定の広さの誘電体上に所定の金属性パターン１７が形成される閉ループアンテナ放射体１６、ブルートゥースアンテナ放射体などがある。例えば、アンテナ放射体１６は、所定の放射パターンが形成されるフレキシブルプリント回路(Flexible  Printed  Board)となりうる。しかしながら、これに限定されず、上記の通信手段は、図５に示すように、ボディー１１の外部適所に設けられる赤外線ポート(図５の参照番号４１)のような他の近距離通信手段でありうる。
【００３２】
図６は、本発明による金融取引サービスのために使用されるドングルのブロック構成図である。図６を参照すれば、制御部６０１は、端末機１００とドングル１０が接続した場合に、端末機１００でディスプレーするために要求する金融取引内訳などを伝送する。すなわち、後述する金融チップ２０へのアクセスを通じて金融取引情報を読み取って端末機１００に伝達し、金融取引情報を用いてユーザーの希望する(端末機のキー入力動作によって遂行可能である)金融取引要求信号を生成することができる。
【００３３】
メモリ６０２は、制御部６０１で実行される多様な金融取引関連アプリケーション(金融取引アプリケーション）を格納しており、金融チップ２０に貯蔵されない情報を格納することも可能である。
【００３４】
通信モジュール６０３は、制御部６０１と連動してアンテナ放射体１６又は赤外線ポート(図５の参照番号４１)のような通信手段を制御する。すなわち、アンテナ放射体１６を通じて受信される該当金融情報を制御部６０１に提供し、制御部６０１で発生する金融取引要求信号をアンテナ放射体１６を通じて金融機器に無線で伝送する機能を遂行する。ＲＦを用いるアンテナ放射体の場合に、通信モジュールは、ＲＦモジュールを含んだモデムが適用され、赤外線ポートの場合に、通信モジュールは赤外線送受信部が適用されることができる。
【００３５】
金融チップドライバ６０４は、金融チップ２０が装着された場合に、制御部６０１と連動可能なインターフェース機能を遂行する。
ドングル１０と選択的に接続される金融チップ２０は、金融取引のための最も重要な情報を貯蔵する。すなわち、ユーザー認証のための個人識別番号(Personal  Identification  Number：ＰＩＮ)を含むと同時に、個人金融取引情報を含み、住民登録番号のような個人情報も含むことができる。
【００３６】
上述したように構成されるドングルの動作を図１〜図６を参照して説明すると、下記のようである。
まず、ユーザーは、金融取引のためにドングル１０のコネクタ１２を端末機適所のコネクタ端子１１１に挿入して電気的に接続させる。望ましくは、端末機１００は、ドングル１０が挿入されることをすぐ認識して自動に金融取引モードに転換される。ここで、端末機１００にディスプレーされる各種金融取引モードは、最小限の選択モード仕様であって、ドングル１０の制御部６０１で伝送した機能をディスプレーしている。このような場合、端末機１００は、ユーザーのキー入力を通じてデータ入力のみを提供するだけで、各種金融取引に関する情報管理、認証などの既存に端末機の金融処理モジュールによって遂行された多様な金融取引仕様は、ドングル１０の制御部６０１の制御によって動作可能になる。これは、金融取引のための最小仕様のソフトウェアグループを含むいずれの端末機でも本発明によるドングルを適用させた場合に、該当金融取引を便利に使用するためである。
【００３７】
一層望ましくは、ドングル制御部６０１は、ドングル１０を端末機１００に接続させると同時に、端末機制御部と連動して端末機のディスプレー装置にユーザー暗号などの認証番号を要求する項目をディスプレーするようにしても良い。
【００３８】
その後、ユーザーが認証用暗号などを入力した場合に、制御部６０１は、上記端末機制御部と連動して、該当金融チップ２０に貯蔵された金融取引内訳及び関連金融取引内訳の目録をディスプレーすることができる。ユーザーは、端末機１００のキー入力手段を用いて金融取引の遂行が可能である。もちろん、端末機１００にドングル１０を接続させると、本発明による通信手段によって該当金融機器との近距離無線通信を遂行することは自明なことである。
【００３９】
図７は、本発明の他の実施形態による金融取引サービス、ＦＭ送信器、及び充電装置として使用するためのドングル７０のブロック構成図である。
本発明の他の実施形態による金融取引サービスのための金融取引部７１の構成要素である金融制御部７１１、通信モジュール７１３、メモリ７１２、及びチップドライバ７１４と、それによる動作は上述したようであるので、下記にはその説明を省略する。
【００４０】
ドングル７０に構成されるＦＭ送信部７２は、信号検出器７２１と、ステレオ変調器７２２と、信号発振器７２３と、周波数調節器７２４と、高周波増幅器７２５と、電源制御部７２７と、電源部７２８とを含む。端末機１００との接続装置７４としては、金融取引サービスのために、上述したようにドングルに備えられる接続手段を共用に使用できる。また、ＦＭ送信部７２は、内蔵型アンテナモジュール７２６を含む。さらに、金融取引サービスのために使用される内蔵型アンテナ装置がＦＭ送信器として使用されるときに共用に利用可能である。
【００４１】
信号検出器７２１は、端末機１００に接続されてこの端末機１００から音声信号が入力されると、電源制御部７２７を駆動させて電源部７２８によってＦＭ送信部７２に電源を供給する。このとき、電源部７２８の入力電源は、外部入力電源として、例えば車両内部のシガジャック電源或いは家庭用一般ＡＣ電源が使用されることができる。ステレオ変調器７２２は、電源が供給されつつ、信号検出器７２１から入力された音声信号をＦＭ変調してＦＭ変調された音声信号を信号発振器７２３に提供する。この信号発振器７２３は、ステレオ変調器７２２からＦＭ変調された音声信号を受信して周波数制御信号によりＦＭラジオ信号(７５MHz〜１０８MHｚ)に変換された音声信号を高周波増幅器７２５に提供する。周波数調節器７２４は、ＦＭラジオ信号範囲で周波数を変換可能に周波数制御信号を信号発振器７２３に提供する。また、高周波増幅器７２５は、信号発振器７２３からＦＭラジオ信号(７５MHz〜１０８MHｚ)に変換された音声信号を増幅してアンテナモジュール７２６に提供する。アンテナモジュール７２６は、高周波増幅器７２５から増幅された音声信号を無線で車両内部の出力装置であるＦＭラジオ受信装置８０に伝送し、ＦＭ受信装置８０のスピーカー装置を通じて出力する。
【００４２】
充電部７３は、外部電源９０から印加される電源の状態を確認して携帯用端末機１００に供給される程度に安定化させる充電制御部７３１と、所定のスイッチ(図示せず)を含む。また、充電部７３は、充電制御部７３１の制御によって車両から印加された電源を安定化させてスイッチのスイッチング動作によって端末機の電源供給部(図示せず)に電源を供給する電圧変換部７３２を含む。
【００４３】
上述した構成を有する充電部７３の動作を説明すると、下記のようである。
まず、所定の接続手段７４を用いてドングル７０を端末機と接続させる。このとき、ドングル７０に備えられた別途の電源入力端子(図示せず)と外部電源９０が接続され、これと同時にドングル７０は、端末機１００と他の接続手段(上述した多様なコネクタポートを用いる接続)７４によって電気的に接続される状態となる。その後、充電制御部７３１は、外部電源から印加された電源が安定化されたか否かを判断する段階を遂行するようになる。印加された電源が安定化されないと、充電制御部７３１は、電圧変換部７３２に含まれているスイッチ(図示せず)をスイッチングさせて電源が端末機１００に供給されることを中止させる。スイッチとしては、公知のｎ-ＭＯＳトランジスタを使用することができる。一方、印加された電源が安定化された場合に、電圧変換部７３２によって外部電源９０から印加された電源を端末機１００に供給する過程を遂行する。また、端末機１００の充電が完了する時点で電圧変換部７３２をスイッチングさせて端末機１００の充電を中止することもできる。
【００４４】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００４５】
【図１】本発明の一実施形態によるドングルが付着された携帯用端末機を用いる金融取引サービスを概略的に示す状態図である。
【図２】本発明の一実施形態によるドングルが携帯用端末機に付着される状態を示す斜視図である。
【図３】本発明の一実施形態によるドングルの斜視図である。
【図４】本発明の一実施形態によるドングルの内部構成を示す図である。
【図５】本発明の他の実施形態によるドングルの斜視図である。
【図６】本発明の一実施形態による金融取引サービスのためのドングルのブロック構成図である。
【図７】本発明の他の実施形態による金融取引サービス、ＦＭ送信器及び充電装置として使用するためのドングルのブロック構成図である。
【符号の説明】
【００４６】
１０      ドングル
１１      ボディー
１２      接続コネクタ
１３      スロット端子
１５      メインボード
１６      閉ループアンテナ放射体
１７      金属性パターン
２０      金融チップ
３０      カバー
５１      赤外線ポート
１００    携帯用端末機１１０    メインボディー
１１１    耳マイクロホンコネクタポート
１１２    インターフェースコネクタポート
１２０    スライドボディー
２００    金融機器
３００    金融サーバ
６０１    制御部
６０２    メモリ
６０３    通信モジュール
６０４    金融チップドライバ
７０      ドングル
７１      金融取引部
７１１    金融制御部
７１２    メモリ
７１３    通信モジュール
７１４    チップドライバ
７２      ＦＭ送信部
７２１    信号検出器
７２２    ステレオ変調器
７２３    信号発振器
７２４    周波数調節器
７２５    高周波増幅器
７２７    電源制御部
７２６    内蔵型アンテナモジュール
７２８    電源部
７３      充電部
７３１    充電制御部
７３２    電圧変換部
７４      接続装置
８０      ＦＭラジオ受信装置
９０      外部電源
【図１】
2007282241.tif 000003
【図２】
2007282241.tif 000004
【図３】
2007282241.tif 000005
【図４】
2007282241.tif 000006
【図５】
2007282241.tif 000007
【図６】
2007282241.tif 000008
【図７】
2007282241.tif 000009